(57)【要約】      （修正有）【課題】保持トルクの値を設定し易く、時計の小型化の設計をし易いステップモータの構成を提供することを目的とする。また、輪列用の軸孔や固定ピン用の孔を設計し易い、保持トルク設定手段を備えたステップモータを提供することを目的とする。【解決手段】ロータ軸１７を回転可能に支持する上側軸受５と下側軸受６の少なくともいずれか一方を、軟磁性材により形成するとともに、ロータ磁石１６側に位置する表面に、ステータ連結部９を設けた方向とは異なる設定角度で形成された、切り欠き溝よりなる保持トルク設定手段を形成する。【選択図】図２
2008151644.tif 000002
【特許請求の範囲】
【請求項１】
軟磁性材で形成された磁芯に導線を巻き回したコイルと、
径方向に２極に着磁されたロータ磁石とロータ軸とを有するロータと、
軟磁性材で形成され、前記磁芯の両端に結合し、かつほぼ中央に配したロータ孔に前記ロータを配設することで、前記コイルで励磁された磁束の流れを前記ロータ磁石に導くステータと、
前記ロータを回転可能に支持する、ロータ軸端の上側に配した上側軸受と、ロータ軸端の下側に配した下側軸受と、を備え、
前記ステータは、前記ロータ孔の近傍で、ロータ磁石の径方向にニ片に分割され、その分割箇所に非磁性体を挟持することで、励磁した前記コイルで発生する磁界を磁気的に分離するステータ連結部を有し、
前記上側軸受と前記下側軸受の少なくともいずれか一方を軟磁性材により形成するとともに、ロータ磁石側に位置する軸受の表面に、前記ステータ連結部を設けた方向とは異なる設定角度で形成された切り欠き溝よりなる保持トルク設定手段を設けた
ことを特徴とするステップモータ。
【請求項２】
前記上側軸受と前記下側軸受の両方に、前記保持トルク設定手段が形成されてなる
ことを特徴とする請求項１に記載のステップモータ。
【請求項３】
前記保持トルク設定手段が形成される前記設定角度を、前記上側軸受と前記下側軸受で同じ方向とした
ことを特徴とする請求項２に記載のステップモータ。
【請求項４】
前記保持トルク設定手段が形成される前記設定角度を、前記上側軸受と前記下側軸受で異なる方向とした
ことを特徴とする請求項２に記載のステップモータ。
【請求項５】
前記保持トルク設定手段が形成された前記上側軸受または前記下側軸受は、非磁性材で形成され前記ロータ軸を回転可能に支持する中心部と、軟磁性材で形成され当該中心部の外周を囲むように配置する外周部とを有し、
当該外周部に前記保持トルク設定手段を設けた
ことを特徴とする請求項１から４のいずれか一項に記載のステップモータ。
【請求項６】
前記ステータ連結部は、励磁した前記コイルから発生する磁界を磁気的に分離することで、磁束飽和部として作用するステータ狭窄部により構成されてなる
ことを特徴とする請求項１から５のいずれか一項に記載のステップモータ。
【請求項７】
ロータ磁石の外周部縁からロータ孔内周部縁までの距離が、前記ロータ磁石の外周部縁から前記保持トルク設定手段が形成された軸受までの最短距離よりも小さくなる様に、かつ前記ロータ孔内周部縁から前記保持トルク設定手段が形成された軸受までの最短距離よりも小さくなるように、前記保持トルク設定手段が形成された軸受と、前記ロータ磁石と、前記ロータ孔とが配置されてなる
ことを特徴とする請求項１から６のいずれか一項に記載のステップモータ。
【発明の詳細な説明】
【技術分野】
【０００１】
本発明は、アナログ式電子時計に用いられるステップモータに関する。
【背景技術】
【０００２】
まず、従来のアナログ式電子時計の構成について概略説明する。
この従来のアナログ式電子時計は、大別して水晶振動子を含み基準信号を発生する回路部と、その基準信号に従い間欠回転駆動し、歯車を介して回転を伝達するステップモータとにより構成される。なお、この従来のアナログ式電子時計では、回路部とステップモータとで電力が消費されている。
【０００３】
しかし、このアナログ式電子時計に含まれる回路部は、半導体集積回路にて構成されており、そこで消費する電力の大部分はステップモータで消費されている。そのため、ステップモータでの消費電力の低減は、時計全体の低消費電力化に与える効果は大きい。
【０００４】
ここで、従来のアナログ式電子時計で一般的に用いられているステップモータの構成について説明する。図１６と図１７は、従来のステップモータの概略構造を説明するための上面図と断面図である。なお、図１７（ａ）は、図１６におけるＬ１−Ｌ１断面及びＬ２−Ｌ２断面を示しており、図１７（ｂ）は、図１６におけるＫ−Ｋ断面を示している。
【０００５】
図１６に示す様に、ステップモータ１００は、高透磁率材で形成された磁芯１２に導線１３を巻き回したコイル２（図１７（ｂ）参照）と、磁芯１２の両端でネジ１４により結合し磁気的に接続したステータ３（図１７（ａ）参照）と、ステータ３のほぼ中央に形成したロータ孔１５の中に配設したロータ４と、コイル２とステータ３とロータ４とを位置決めし固定する、図示しない地板とにより構成される。
【０００６】
また、図１７（ｂ）に示す様に、前述したロータ４は、地板に配設した下側軸受（図示せず）によりロータ孔１５の周方向に回転可能に支持したロータ軸１７と、径方向に２極に着磁されたロータ磁石１６とにより構成される。
【０００７】
また、この従来のステップモータ１００には、図１６に示す様に、ロータ孔１５内周部には周方向に更に非磁性体で溶接した構造であるステータ連結部９と、保持トルク設定手段１０００とが形成されている。
【０００８】
次に、このステップモータ１００の１ステップの動作について説明する。図１８と図１９と図２０は、従来のステップモータ１００の１ステップ毎の動作を説明するための上面図である。なお、図１８は、ステップモータ１００の非駆動時の初期状態を示しており、図１９は、このステップモータ１００の駆動時の回転状態を示しており、図２０は、ステップモータ１００の１ステップ動作終了後で１８０度ロータ磁石１６が回転した後の状態を示している。
【０００９】
図１８の初期状態では、ロータ磁石１６の径方向側面部にあるＮ極から発生した磁束がステータ３とコイル２とを通り、再びロータ磁石１６の径方向側面部にあるＳ極に戻る閉磁路１８が形成されている。この様に、閉磁路１８が形成されることで、このステップモータ１００は磁気エネルギーを保有する構成となる。この磁気エネルギーを以下の説明では「保持ポテンシャル」と呼ぶこととする。
【００１０】
この保持ポテンシャルが最小になる安定状態において、ロータ磁石１６は、ステータ３
と磁気的に釣り合った状態となり、ロータ磁石１６は停止する。ここで、本図面におけるステータ連結部９の配設位置からロータ磁石１６の停止位置の成す角度を、以下の説明では「初期位相角θ」と呼ぶこととする。
【００１１】
この初期位相角θは、ロータ孔１５内周部の周方向に形成されたステータ連結部９と、保持トルク設定手段１０００のそれぞれの寸法、及びロータ磁石１６の寸法と材料特性、特に磁力の大きさにより設定される。この様に、初期位相角θを設定することで、ロータ磁石１６の回転方向が規定されて、図１８では反時計方向へ回転するように規定される。
【００１２】
そして、このステップモータ１００は、前述したロータ磁石１６の径方向側面部にあるＮ極から発生する磁束の量は磁力の大きさに比例する形態となる。つまり、ロータ磁石１６の磁力の大きさが大きい程、保有する保持ポテンシャルの大きさは大きくなり、ステータ３との釣り合い位置に保持しておこうとして働く力も大きくなる。このステータ３との釣り合い位置に保持しておこうとして働く力を、以下の説明では「保持トルク」と呼ぶこととする。
【００１３】
この保持トルクの大きさも初期位相角θと同様に、ロータ孔１５内周部の周方向に形成されたステータ連結部９と、保持トルク設定手段１０００のそれぞれの寸法、及びロータ磁石１６の寸法と材料特性、特に磁力の大きさにより設定される。
【００１４】
次に、図１９に示す様に、駆動電圧をコイル２に印加して図に示す方向に磁束の流れを発生させる。この様にして、コイル２に流した電流の方向と大きさに応じた磁界を磁気的に接続したステータ３、及びロータ孔１５に発生させることが出来る。そして、ロータ磁石１６が発生する磁束の流れとは逆方向になるような方向に閉磁路２１を発生させることで、ロータ磁石１６には図２３の矢印方向の回転力が発生する。
【００１５】
このロータ磁石１６の回転力の大きさは、コイル２に流した電流の大きさと、ロータ孔１５の寸法と、ロータ磁石１６の寸法と磁力の大きさにより設定される。この回転力を以下の説明では「駆動トルク」と呼ぶこととする。
【００１６】
この駆動トルクは、前述した保持トルクに抗して働き、駆動トルクが保持トルクより大きければロータ磁石１６は回転し、保持トルクの方が大きければロータ磁石１６は回転せずに図１８の初期状態に戻ってしまうこととなる。そして、ロータ磁石１６が図１８から図１９を経て１８０度回転して図２０に示す状態となる。ここでは、ロータ磁石１６のＮ極から発生した磁束が図１８とは逆方向でステータ３とコイル２とを通り、再びロータ磁石１６のＳ極に戻る閉磁路１８が形成されている。また、ロータ磁石１６は、ステータ３と磁気的に釣り合った状態となり、ロータ磁石１６は初期位相角θで停止している。
【００１７】
以上述べた内容より、従来のアナログ式電子時計で用いられるステップモータ１００において消費電力の低減を図るためには、駆動トルクを大きくし、かつその駆動トルクに抗するように作用する保持トルクの大きさを大幅に小さくなるよう設定すれば良いことが判る。
【００１８】
そしてそのためには、ロータ孔１５内周部の周方向に形成されたステータ連結部９と、保持トルク設定手段１０００のそれぞれの寸法、及びロータ磁石１６の寸法と材料特性、特に磁力の大きさを設定すれば良いことが判る。
【００１９】
そこで、保持トルクの大きさを小さく設定するための手段として、ステータ連結部９あるいは、保持トルク設定手段の寸法を微小に設定することは加工上困難であるという課題に対する解決策が提案された（例えば、特許文献１参照）。
【００２０】
この特許文献１に記載の解決策を図１６を参酌して説明する。この従来のステップモータ１００では、保持トルクが、ステータ連結部９及び保持トルク設定手段１０００のそれぞれにより設定される保持トルクのベクトル合成、つまり重ね合せの原理により決定されるということを利用し、ステータ連結部９、及び保持トルク設定手段１０００を加工可能なある程度大きな寸法としても、任意の小さな大きさの保持トルクを設定することが可能というものである。
【００２１】
その原理について下記に示す。
本特許文献１に記載の構成では、ステータ連結部９あるいは、保持トルク設定手段１０００のそれぞれにより発生する保持トルクは、供に以下の理論式（１）に基づくものであり、ステータ連結部９あるいは、保持トルク設定手段１０００の寸法は、磁気抵抗Ｒの角度θ微分項に影響を与えている。
Ｔ＝（ΔＷ／Δθ）＝（１／２）＊（Φ＾２）＊（ｄＲ／ｄθ）・・・（１）
Φ：一定
ここで、上記（１）式におけるＷは、ロータ磁石１６の径方向側面部にあるＮ極から発生した磁束がステータ２と磁芯１２とを通り、再びロータ磁石１６の径方向側面部にあるＳ極に戻る磁路が形成されることで保有する保持ポテンシャルを示しており、Φは、ロータ磁石１６の径方向側面部にあるＮ極から発生し、ステータ３と磁芯１２とを通り、再びロータ磁石１６の径方向側面部にあるＳ極に戻る磁束量を示している。また、Ｒは、ロータ磁石１６の径方向側面部にあるＮ極から発生した磁束がステータ３と磁芯１２とを通り、再びロータ磁石１６の径方向側面部にあるＳ極に戻る磁路のステータ３と磁芯１２での磁気抵抗を示している。そして、θは、ロータ回転角度を示している。
【００２２】
なお、この磁気抵抗Ｒは微小であるため、殆どがロータ磁石１６とロータ孔１５との隙間の影響による。ステータ連結部９や保持トルク設定手段１０００がある部分では、ロータ磁石１６の径方向側面部にあるＮ極から発生した磁束が流れる閉磁路の磁気抵抗が大きくなる。
【００２３】
この様に、特許文献１に記載のステップモータ１００は、上記（１）式における（ｄＲ／ｄθ）項をなるべく小さくする、つまりステータ連結部９や保持トルク設定手段１０００のそれぞれの寸法を出来る限り小さく加工することで、目的とする小さな振幅の、目的とする位相の保持トルクを得ることができる。
【００２４】
また、特許文献１に記載のステップモータ１００は、ステータ連結部９及び、保持トルク設定手段１０００のそれぞれにより設定される保持トルクのベクトル合成、つまり以下の（２）式にあるような重ね合せの原理を利用することで、目的とする保持トルクを得ている。その特許文献１に記載の保持トルクと他の部材との関係を下記に示す。
Ｔａ（θ）＝Ｔｓ（θ）＋Ｔｎ（θ）・・・（２）
Ｔａ（θ）：最終的に得られる保持トルク
Ｔｓ（θ）：ステータ連結部により発生する保持トルク
Ｔｎ（θ）：保持トルク設定手段により発生する保持トルク
【００２５】
【特許文献１】特許第３５９７４６７号公報（第２９貢、第１図）
【発明の開示】
【発明が解決しようとする課題】
【００２６】
しかしながら、従来のステップモータ１００の構成には２つの問題点があった。以下に２つの問題点を順番に説明する。
【００２７】
従来のステップモータ１００における第１の問題点は、コイルの磁芯１２を通る磁束を更に増やそうとした場合、ステータ連結部９及び保持トルク設定手段１０００の両部位からの加工誤差の影響が保持トルクの設定値に大きく現れてしまい、保持トルクの大きさや位相角を設計通りに形成することは、実際には困難であったという点にある。以下に第１の問題点について詳細に説明する。
【００２８】
ステップモータ１００の低消費電力化を図るために、より少ない電流をコイル２に流してロータ磁石１６を回転させるためには、ロータ磁石１６には回転駆動させるのに十分な駆動トルクを作用させる必要がある。そのためには、コイル２の磁芯１２を通る磁束を増やし、ステップモータ１００の電気機械結合の度合いを高めなくてはならない。このコイル２の磁芯１２を通る磁束を増やす方法として、以下の二つが考えられる。
【００２９】
第１の方法として、近年開発が進んでいる磁石を更に磁力の大きな材質、例えばサマリウムコバルトからネオジウムに変更したり、磁石寸法を大きくしたりする方法が考えられる。また、第２の方法として、ロータ孔１５の径を小さくして、ロータ孔１５の外縁部とロータ磁石１６との距離を近づけることで、ロータ磁石１６からのモレ磁束の割合を極力減らす方法が考えられる。
【００３０】
しかし、これらいずれの方法にしろ、コイル２の磁芯１２を通る磁束を増やすためには、前述の保持トルクの理論式（１）中でのΦ項を大きくする必要が生じる。そうすると、ステータ連結部９や保持トルク設定手段１０００に発生する保持トルクの大きさが共に大きくなり、ステータ連結部９、及び保持トルク設定手段１０００の両部位からの加工誤差の影響も一緒に大きく現れてしまう。また、これら影響が重ね合わさって現れるため、保持トルクの設計値と、製作した後の保持トルクの実測値にはおおきなズレが発生してしまう。この様に、保持トルクの大きさや位相角を設計通りに形成することは、モータ特性を設計する上での大きな課題となっていた。
【００３１】
また、従来のステップモータ１００における第２の問題点は、ステータ連結部９、及び保持トルク設定手段１０００を避けて、輪列用の軸孔や固定ピン用の孔を別途設ける必要があり、実際にはモータ設計上の自由度が限られてしまっていたという点にある。以下に第２の問題点について詳細に説明する。
【００３２】
腕時計の小型化を図るためには、輪列用の軸孔や固定ピン用の孔をロータ孔１５周辺に出来る限り近づけて設け、小さな径寸法の輪列で構成するのが望ましいとされている。
【００３３】
ここで、輪列用の軸孔や固定ピン用の孔の配置を設計する際、既にベクトル合成により厳密に振幅と位相角とを設定している保持トルクの値に影響を与えないよう注意する必要がある。そのためには、ロータ孔１５周辺に設けたステータ連結部９、及び保持トルク設定手段１０００の設置位置を避け、十分な余裕を設けて配置する必要がある。つまり、モータの性能と時計の小型化とを、輪列用の軸孔や固定ピン用の孔の配置を設計する際に同時に考える必要があり、限られた寸法内で両方の要求を満たすためには、必然的に設計の自由度は限られてしまう。そのため、輪列用の軸孔や固定ピン用孔の設計上の自由度を上げることは、小型な腕時計を設計する上での課題の１つとなっていた。
【００３４】
そこで、本発明の目的は、上述のような課題を解決するもので、保持トルクの大きさや位相角を任意の目的値に設定し易い、保持トルク設定手段を備えたステップモータを提供することを目的とする。
【００３５】
また、本発明の目的は、輪列用の軸孔や固定ピン用の孔を設計し易い、保持トルク設定手段を備えたステップモータを提供することを目的とする。
【課題を解決するための手段】
【００３６】
本発明のステップモータは、基本的に下記記載の構成を採用するものである。
本発明のステップモータは、軟磁性材で形成された磁芯に導線を巻き回したコイルと、径方向に２極に着磁されたロータ磁石とロータ軸とを有するロータと、軟磁性材で形成され、磁芯の両端に結合し、かつほぼ中央に配したロータ孔にロータを配設することで、コイルで励磁された磁束の流れをロータ磁石に導くステータと、ロータを回転可能に支持する、ロータ軸端の上側に配した上側軸受と、ロータ軸端の下側に配した下側軸受とを備え、上記ステータが、ロータ孔の近傍で、ロータ磁石の径方向にニ片に分割され、その分割箇所に非磁性体を挟持することで、励磁したコイルで発生する磁界を磁気的に分離するステータ連結部を有し、上側軸受と下側軸受の少なくともいずれか一方を軟磁性材により形成するとともに、ロータ磁石側に位置する軸受の表面に、ステータ連結部を設けた方向とは異なる設定角度で形成された切り欠き溝よりなる保持トルク設定手段を設けたことを特徴とするものである。
【００３７】
また、本発明のステップモータは、上側軸受と下側軸受の両方に、保持トルク設定手段が形成されてなることを特徴とするものである。
【００３８】
また、本発明のステップモータは、保持トルク設定手段が形成される設定角度を、上側軸受と下側軸受で同じ方向としたことを特徴とするものである。
【００３９】
また、本発明のステップモータは、保持トルク設定手段が形成される設定角度を、上側軸受と下側軸受で異なる方向としたことを特徴とするものである。
【００４０】
また、本発明のステップモータは、保持トルク設定手段が形成された上側軸受または下側軸受が、非磁性材で形成されロータ軸を回転可能に支持する中心部と、軟磁性材で形成され当該中心部の外周を囲むように配置する外周部とを有し、当該外周部に保持トルク設定手段を設けたことを特徴とするものである。
【００４１】
また、本発明のステップモータは、ステータ連結部が、励磁したコイルから発生する磁界を磁気的に分離することで、磁束飽和部として作用するステータ狭窄部より構成されてなることを特徴とするものである。
【００４２】
また、本発明のステップモータは、ロータ磁石の外周部縁からロータ孔内周部縁までの距離が、ロータ磁石の外周部縁から保持トルク設定手段が形成された軸受までの最短距離よりも小さくなる様に、かつ当該ロータ孔内周部縁から保持トルク設定手段が形成された軸受までの最短距離よりも小さくなるように、保持トルク設定手段が形成された軸受と、ロータ磁石と、ロータ孔とが配置されてなることを特徴とするものである。
【発明の効果】
【００４３】
本発明のステップモータは、従来の構成では利用されていなかった、ロータ磁石の軸方向上面あるいは下面にあるＮ極から発生し、軸方向の同面にあるＳ極に戻るモレ磁束を利用して保持トルク設定手段を有して構成される。この様に構成すれば、保持トルク設定手段で利用するモレ磁束の量は、主磁束に対して１／２〜１／４程度であるため、上記（１）式におけるΦ項による保持トルクの値への影響が、主磁束を利用した場合と比較して、大幅に小さくすることができる。
【００４４】
また、コイルの磁芯を通る磁束を更に増やそうとした場合にも、（ｄＲ／ｄθ）項に影響を与える保持トルク設定手段の寸法を、極端に小さく加工する必要はなく、大きな寸法であっても十分作用させることができる。そして、大きな寸法で形成された保持トルク設
定手段は、保持トルクの設計値からの加工精度によるズレが生じたとしても、そのズレ量による影響を受け難くなり、保持トルクの大きさや位相角を任意の設計値からのマージンが広がる。
【００４５】
また、本発明のステップモータは、ロータ磁石の軸方向上側あるいは下側に保持トルク設定手段を備えているので、輪列用の軸孔や固定ピン用の孔をロータ孔周囲に配置し易くすることが出来る。
【発明を実施するための最良の形態】
【００４６】
本発明のステップモータは、軟磁性材で形成された磁芯に導線を巻き回したコイルと、軟磁性材で形成され、磁芯の両端で結合して磁気的に接続したステータと、当該ステータのほぼ中央に形成したロータ孔に配設し、径方向に２極に着磁されたロータ磁石とロータ軸からなるロータとを備える。そして、ロータに配したロータ軸端の上側に配置した上側軸受と、ロータ軸端の下側に配置した下側軸受とで、ロータを回転可能に支持した構成となっている。
【００４７】
また、上側軸受の外周部と下側軸受の外周部の少なくともいずれか一方は、ロータ磁石側表面にロータ孔径方向の分割箇所とは異なる設定角度で形成された切り欠き溝よりなる保持トルク設定手段を有し、かつ当該保持トルク設定手段が形成された上側軸受の外周部と下側軸受の外周部は、軟磁性材により構成されている。
【００４８】
この様に構成することにより、保持トルクの大きさや位相角を目的の値に設定し易くすることが出来る。また、輪列用の軸孔や固定ピン用の孔を設計し易くすることが出来る。
以下に、本発明のステップモータの具体的な構成を図面に基づいて説明する。
【実施例１】
【００４９】
まず、本実施形態のステップモータについて説明する。
図１と図２は、本実施形態におけるステップモータの構成例を説明するための上面図と断面図である。なお、図２（ａ）は、図１におけるＢ１−Ｂ１断面及びＢ２−Ｂ２断面を示しており、図２（ｂ）は、図１におけるＡ−Ａ断面を示している。また、図３は、図１からロータ４を取り去った状態の上面図を示していおり、図４は、上側軸受５と保持トルク設定手段１０を設けた下側軸受６の斜視図を示している。
【００５０】
図１、図２（ｂ）、図３に示すように、本発明のステップモータ１は、パーマロイなどの軟磁性材で形成された磁芯１２に導線１３を巻き回したコイル２と、図１、図２（ａ）に示す様に、パーマロイなどの軟磁性材で形成され、磁芯１２の両端でネジ１４などにより結合して磁気的に接続したステータ３と、図１に示すように、当該ステータ３のほぼ中央に形成したロータ孔１５に配設されて、径方向に２極に着磁されたロータ磁石１６とロータ軸１７からなるロータ４とを有して構成されている。
【００５１】
このステータ３は、図１、図３に示す様に、ロータ孔１５の径方向に（図１、図３の場合は、Ａ−Ａ方向に位置する方向に）ニ片に分割されており、その分割箇所にニクロムなどの非磁性体を挟持したステータ連結部９を配しているので、励磁したコイル２で発生する磁界を、ロータ４近傍で磁気的に分離することが出来る。なお、このステータ連結部を、エポキシ接着材などの非磁性材で分割箇所を接着固定した構成としても構わない。
【００５２】
ここで、図１におけるＢ１−Ｂ１、およびＢ２−Ｂ２断面の構成について説明する。
図２（ｂ）に示す様に、本発明のステップモータ１は、ロータ軸１７端の上側に配した上側軸受５と、ロータ軸１７端の下側に配した下側軸受６とで、ロータ４を回転可能に支持して構成される。
【００５３】
そして、この上側軸受５と下側軸受６は、純鉄や珪素鋼板などの軟磁性材により形成されてなり、図３に示す様に、下側軸受６には、ロータ磁石１６側表面にロータ孔１５径方向の分割箇所とは異なる設定角度で形成された切り欠き溝よりなる保持トルク設定手段１０を有して構成される。この状態を示したのが図４であって、保持トルク設定手段１０がこの下側軸受６に形成されているのが見て取れる。なお、本図においては、上側軸受５には、この保持トルク設定手段１０は形成されていない。
【００５４】
また、図２（ｂ）に示す様に、本発明のステップモータ１は、真鍮などの非磁性材で形成し、コイル２とステータ３と下側軸受６とを位置決めし固定する地板７と、上側軸受５を位置決めして固定する輪列受板８とを備えている。また、リン青銅などの非磁性材で形成し、ロータ磁石１６をロータ軸１７に固定し、下側軸受６との隙間距離を調整する座１１とを備えている。
【００５５】
上述した説明では、本実施例では図４に示す様に、下側軸受６のみに保持トルク設定手段１０を形成した構成例を示したが、上側軸受５のみに保持トルク設定手段１０を形成しても構わない。
【００５６】
次に、上述したロータ磁石１６の各面からの発生磁束及びその流れである磁路について詳細に説明する。
図５は、ロータ磁石１６の各面からの発生磁束量を説明するための図であり、本図では、ロータ磁石１６を０［ｄｅｇ］から１８０［ｄｅｇ］まで回転させた際の磁束の変化を示している。
【００５７】
図５に示すように、ロータ磁石１６から発生する総磁束量ａは、ロータ磁石１６の径方向側面部にあるＮ極から発生し、ステータ３、磁芯１２を通る閉磁路を形成する主磁束ｂと、ロータ磁石１６の軸方向の上下面にあるＮ極から発生し、軸方向の上下面にあるＳ極に戻る閉磁路を形成するモレ磁束ｃとに分けられる。ここで、ロータ磁石１６からの総発生磁束量ａと、モレ磁束量ｂとは一定である。そして、ロータ磁石１６の径方向側面部にあるＮ極から発生する磁束（ａ−ｃ）も一定であるが、ロータ磁石１６を回転させ、角度ζを０［ｄｅｇ］から１８０［ｄｅｇ］まで変化させた場合、磁芯１２を通る磁束ｂはサイン曲線を描くことが判る。
【００５８】
図１６〜図２０に示した従来の構成では、主磁束ｂを利用して保持トルクが目的の値となる様に、保持トルク設定手段１０００を設定していた。それに対して、本発明の構成では、従来は利用されていなかった、モレ磁束ｃを利用して保持トルクを設定している。図５に示すように、モレ磁束ｃの量は主磁束ｂに対して１／２〜１／４程度となっていることが判る。図５に示すこのモレ磁束ｃは、ロータ磁石１６の上下両面の合計量であるため、上側のみ、あるいは下側のみのモレ磁束ｃを利用する際は、更にその半分の大きさの１／４〜１／８程度となる。
【００５９】
次に、このモレ磁束ｃを保持トルクに利用した、本発明に係る保持トルク設定手段を有するステップモータ１の作用について説明する。
図６〜図８は、本実施例におけるステップモータ１の作用を説明するための上面図である。図６は、ステップモータ１の非駆動時の初期状態を示しており、同図の右上にロータ磁石１６の中心を通るＥ−Ｅ断面図を示した。図７は、コイル２を励磁させてロータ磁石１６を駆動した時の回転状態を示しており、同様に、同図右上にロータ磁石１６の中心を通るＦ−Ｆ断面図を示した。また、図８は、ロータ磁石１６が１ステップの動作が終了後で、１８０度ロータ磁石１６が回転した後の状態を示していおり、同図右上にロータ磁石１６の中心を通るＧ−Ｇ断面図を示した。
【００６０】
図６に示す本発明のステップモータ１の初期状態では、ロータ磁石１６の径方向側面部にあるＮ極から発生した磁束がステータ３と磁芯１２とを通り、再びロータ磁石１６の径方向側面部にあるＳ極に戻る閉磁路１８が形成されていることが判る。また、ロータ磁石１６の軸方向の下面にあるＮ極から発生し、軸方向の下側にある下側軸受６を通り、ロータ磁石１６の軸方向下面にあるＳ極に戻る閉磁路１９と、ロータ磁石１６の軸方向の上面にあるＮ極から発生し、ロータ磁石１６の軸方向上面にあるＳ極に戻る閉磁路２０とが形成されている。
【００６１】
この様に、ロータ磁石１６から発生する磁束がそれぞれ閉磁路を形成することで、このステップモータ１は、それぞれで保持ポテンシャルを保有する形態となる。この際、閉磁路１８では、ステータ連結部９と直角な方向で保持ポテンシャルが最小となり、その方向へ回転しようとする保持トルクが発生する。また閉磁路１９では、下側軸受６に設けた切り欠き溝（保持トルク設定手段）と直角な方向で保持ポテンシャルが最小となり、その方向へ回転しようとする保持トルクが発生する。また閉磁路２０では、ロータ磁石１６が回転中磁路の磁気抵抗が変化することがないため、保持ポテンシャルは変化することなく保持トルクも発生しない。
【００６２】
つまり、閉磁路１８による保持トルクと、閉磁路１９による保持トルクとがベクトル合成され、最終的な保持トルクが設定されることとなる。そして、ロータ磁石１６は、ステータ３と下側軸受６と磁気的に釣り合った状態である、初期位相角θで停止する。なお、この時ロータ磁石１６は、軟磁性体からなる軸受側で、本実施例で示す形態の場合は、下側軸受６側に引きつけられて静止している。
【００６３】
次に、コイル２を励磁させてロータ磁石１６を駆動した時の回転状態について説明する。
図７の状態では、駆動電圧をコイル２に印加して電流を流した状態を示している。これにより、コイル２に流した電流の方向と大きさに応じた磁界を、磁気的に接続したステータ３、及びロータ孔１５に発生させることが出来る。この様に、閉磁路１８の磁束の流れとは逆方向になるような方向に閉磁路２１を発生させることで、図７の矢印方向の駆動トルクを発生させることが出来る。
【００６４】
なお、図６に示した初期状態からのロータ磁石１６の回転に伴い、保持トルクの値、つまり下側軸受６への引きつけられる力の量が徐々に減少していく。ここで、保持トルクがある程度低下した段階では、ロータ磁石１６は閉磁路１８による引力により下側軸受６から引き離された状態で安定する。その際、駆動トルクと抗するように働いている保持トルクは急激に低下し、より駆動トルクによる作用の影響が大きく働くようになる。
【００６５】
次に、ロータ磁石１６が１ステップの動作が終了後で、初期状態から１８０度ロータ４が回転した後の状態について説明する。
図８の状態は、ロータ磁石１６が図６から図７に示した状態を経て１８０度回転した状態を示している。この状態においては、ロータ磁石１６の径方向側面部にあるＮ極から発生した磁束がステータ３と磁芯１２とを通り、再びロータ磁石１６の径方向側面部にあるＳ極に戻る閉磁路１８が形成されている。また、ロータ磁石１６の軸方向の下面にあるＮ極から発生し、軸方向の下側にある下側軸受６を通り、ロータ磁石１６の軸方向下面にあるＳ極に戻る閉磁路１９と、ロータ磁石１６の軸方向の上面にあるＮ極から発生し、ロータ磁石１６の軸方向上面にあるＳ極に戻る閉磁路２０とが形成されている。なお、この時ロータ磁石１６は、再び軟磁性体からなる軸受側、本実施例で示す形態の場合は、下側軸受６側に引きつけられて静止している。
【００６６】
この様に、ロータ磁石１６から発生する磁束に、それぞれの閉磁路が形成させることで、このステップモータ１は、それぞれで保持ポテンシャルを保有する。このとき、閉磁路１８では、ステータ連結部９と直角な方向で保持ポテンシャルが最小となり、その方向へ回転しようとする保持トルクが発生する。また閉磁路１９では、下側軸受６に設けた切り欠き溝（保持トルク設定手段）と直角な方向で保持ポテンシャルが最小となり、その方向へ回転しようとする保持トルクが発生する。また閉磁路２０では、ロータ磁石１６が回転中磁路の磁気抵抗が変化することがないため、保持ポテンシャルは変化することなく保持トルクも発生しない。
【００６７】
つまり、閉磁路１８による保持トルクと閉磁路１９による保持トルクとがベクトル合成され、最終的な保持トルクは設定される。そして、再びロータ磁石１６を、ステータ３と下側軸受６と磁気的に釣り合った状態である初期位相角θで停止させることが出来る。
【００６８】
そして、次回以降は、コイル２に流す電流の方向を１秒毎に切り替え、上述した図６〜図８に示した動作を周期的に繰り返すことで、図示しないロータ軸に固定される指針を一定方向に一定速度で送ることが出来、小型のアナログ式電子時計に適用可能となる。
【００６９】
次に、上述したロータ磁石１６とステータ３と下側軸受６との最良と考えられる、各部材の配置関係について詳細に説明する。図９は、ロータ磁石１６とステータ３と下側軸受６の断面図と、各部材の配置関係を示す図面である。
【００７０】
本発明のステップモータ１は、図９に示すように、ロータ磁石１６の外周部縁からロータ孔１５内周部縁までの距離ａと、ロータ磁石１６の外周部縁から下側軸受６までの最短距離ｂと、ロータ孔１５内周部縁から下側軸受６までの最短距離ｃとを、ａ＜ｂであり、かつａ＜ｃとなるように各部材を配置する。
【００７１】
その理由について下記に説明する。
このロータ磁石１６の径方向側面部にあるＮ極から発生した主磁束が流れる閉磁路の磁気抵抗を考えたとき、磁気抵抗Ｒは、各部材の距離により以下の式（３）で表すことが出来る。そして、下記式（３）から、磁気抵抗Ｒは、ロータ磁石１６と他の部材における隙間の距離に比例していることが判る。
Ｒ  ＝  Ｌ  ／  （ｕ０＊Ｓ）・・・（３）
Ｌ：ロータ磁石からの隙間の距離
ｕ０：空気の透磁率
Ｓ：ロータ磁石の径方向側面部にあるＮ極から発生した磁束が通る磁路の面積
【００７２】
そのため、ロータ磁石１６の外周部縁からロータ孔１５内周部縁までの磁気抵抗ａ’と、ロータ磁石１６の外周部縁から下側軸受６までの磁気抵抗ｂ’と、ロータ孔１５内周部縁から下側軸受６までの磁気抵抗ｃ’とは、ａ’＜ｂ’であり、かつａ’＜ｃ’の関係となる。
【００７３】
そして、ロータ磁石１６の径方向側面部にあるＮ極から発生した磁束は、より磁気抵抗が小さい閉磁路を選択して通る。つまり、ロータ磁石１６のＮ極で発生する磁束の殆どがロータ孔１５に届き、図示しないコイルの磁芯を通るようになる。
【００７４】
このとき、ロータ磁石１６の軸方向の上下面にあるＮ極から発生し、軸方向の上下面にあるＳ極に戻ってしまうモレ磁束は、殆どがロータ孔１５に届くことなく、ロータ軸方向に配置されている下側軸受６を通る閉磁路を選択して通すことができる。この様にして、本発明に係る保持トルク設定手段を有効に作用させることができるのである。
【００７５】
次に、上述したロータ磁石１６とステータ３と下側軸受６との、各部材の配置関係についての変形例について説明する。図１０は、本実施形態におけるロータ磁石１６とステータ３と下側軸受６の断面図と、各部材の配置関係を示す図面である。
【００７６】
本発明に係るロータ磁石１６とステータ３は、図１０に示すように、ロータ磁石１６の下側軸受６がある側の径が上側より小さく、またロータ孔１５の下側軸受６がある側の径が上側より大きくなる様に設定されている。そして、図９で示した形態と同様に、外周部縁からロータ孔１５内周部縁までの距離ａと、ロータ磁石１６の外周部縁から下側軸受６までの最短距離ｂと、ロータ孔１５内周部縁から下側軸受６までの最短距離ｃとを、ａ＜ｂであり、かつａ＜ｃとなるように各部材を配置している。
【００７７】
この様に構成することで、図９に示した形態と同様に、ロータ磁石１６の外周部縁からロータ孔１５内周部縁までの磁気抵抗ａ’と、ロータ磁石１６の外周部縁から下側軸受６までの磁気抵抗ｂ’と、ロータ孔１５内周部縁から下側軸受６までの磁気抵抗ｃ’とは、ａ’＜ｂ’であり、かつａ’＜ｃ’の関係となる。
【００７８】
そのため、ロータ磁石１６の径方向側面部にあるＮ極から発生した磁束は、より磁気抵抗が小さい閉磁路を選択して通すことができる。つまり、ロータ磁石１６のＮ極で発生する磁束の殆どが、主磁束としてロータ孔１５に届き、ここでは図示しないコイルの磁芯を通るようになる。また、図示しないコイルを励磁してロータ孔１５に磁界を発生させた場合に、その磁界は下側軸受６を通ることなく、より有効的にロータ磁石１６に作用させることができる。
【００７９】
以上説明したように、本発明のステップモータ１とすれば、ロータ磁石１６の軸方向の下面にあるＮ極から発生し、軸方向の下側にある下側軸受６を通り、ロータ磁石１６の軸方向下面にあるＳ極に戻るモレ磁束の閉磁路１９（図６、図８参照）により発生する保持トルクを設定することができる。
【００８０】
ここで、図５を用いて先に説明した様に、閉磁路１９を流れるの磁束量は、閉磁路１８を流れる磁束量の１／４〜１／８程度である。そのため、駆動トルクを大きくするためにロータ磁石１６の磁力を増しても、ここでは図示しないステータ連結部９の加工誤差の影響のみが大きく現れるとしても、保持トルク設定手段１０（図４（ｂ）参照）の寸法は、極端に小さく加工する必要はない。したがって、同じ特性を得るのであれば、大きな寸法でこの下側軸受６に保持トルク設定手段１０を形成できる。そのため、この保持トルク設定手段１０の加工精度による影響は受け難くなり、保持トルクの大きさや位相角を任意の目的値に設定し易くなる。
【００８１】
この様に、図１〜図４に示す本発明の構成によれば、ロータ磁石１６の寸法を大きくし、磁力を増すためにロータ軸１７を固定する孔径を小さく出来る。そのため、材料の非線形の度合いを下げることが出来、保持トルクの大きさ、位相を設計段階での予測値からのズレを更に小さくすることが出来る。つまり、本発明の構成によれば、保持トルクの大きさや位相角を任意の目的値に設定し易くなる。
【００８２】
また、図１〜図４に示す本発明の構成によれば、従来の構成のようにロータ孔１５の径方向に保持トルク設定手段を設けていないので、輪列用の軸孔や固定ピン用の孔をより自由度を高く、設計することが可能となる。
【００８３】
また、図１〜図４に示す本発明の構成によれば、ロータ磁石１６の回転中にロータが軸方向に動き、保持トルクが急激に低下することから、より少ない電流で駆動することが出来る。
【００８４】
また、図９、図１０に示す本発明の構成によれば、ロータ磁石１６から発生し、コイルの磁芯を通る磁束量をほとんど減らさずに済むため、ステップモータの電気機械結合の度合いを下げずに、保持トルクを設定することが可能となる。
【００８５】
また、図１０に示す本発明の構成によれば、コイルを励磁して発生する磁界も、有効的にロータ磁石１６に作用させることが出来るため、ステップモータの駆動トルクを下げずに、保持トルクを設定することが可能となる。
【実施例２】
【００８６】
次に、本発明のステップモータの他の構成例について説明する。
図１１は、本実施形態における上側軸受と下側軸受の構成例を説明するための断面図と斜視図である。なお、図１１（ａ）は、図２（ｂ）におけるＡ−Ａ断面に変わるロータ４とコイル２部分の断面図を、図１１（ｂ）は、第２の保持トルク設定手段２２を設けた上側軸受５と保持トルク設定手段１０を設けた下側軸受６の斜視図を示している。
【００８７】
本実施例で示す構成の特徴とする点は、実施例１で示した形態では、上側軸受５あるいは下側軸受６のどちらか一方に保持トルク設定手段１０を形成していたものを、上側軸受５と下側軸受６の両方に保持トルク設定手段を形成した点にある。ここで、説明を容易にするために、以下の説明では、上側軸受５に設けた保持トルク設定手段を第２の保持トルク設定手段２２と記載する。なお、本実施例に示す形態における他の構成は、実施例１に示した形態と同じであるので、本実施例における以降の説明は、この上側軸受５と下側軸受６についてのみ行い、他の構成についてのここでの詳細な説明は割愛する。
【００８８】
まず、本発明のステップモータの作用について説明する。
図１１（ａ）に示す様に、本実施例におけるステップモータでは、ロータ磁石１６の軸方向の下面にあるＮ極から発生し、保持トルク設定手段１０（図１１（ｂ）参照）を形成した下側軸受６を通り、再びロータ磁石１６の下面にあるＳ極に戻るモレ磁束の閉磁路２８と、ロータ磁石１６の軸方向の上面にあるＮ極から発生し、第２の保持トルク設定手段２２（図１１（ｂ）参照）を形成した上側軸受５を通り、再びロータ磁石１６の上面にあるＳ極に戻るモレ磁束の閉磁路２９とが形成されている。
【００８９】
この様に、ロータ磁石１６の上面と下面に、ロータ磁石１６を回転駆動させるための閉磁路とは別に、モレ磁束の閉磁路２８と閉磁路２９とがそれぞれ形成されるので、このロータ磁石１６に、第１の保持トルクと第２の保持トルクを発生させることが出来る。なお、第１の保持トルクと第２の保持トルクとをベクトル合成する、つまり重ね合せることで、本実施例におけるロータ磁石１６の保持トルクが設定される。
【００９０】
ここで、上側軸受５と下側軸受６の両方に設けた、保持トルク設定手段１０と第２の保持トルク設定手段２２の具体的構成について説明する。
本実施例における、保持トルク設定手段１０と第２の保持トルク設定手段２２とは、設定角度を同じ方向としている。この様に構成することで、ベクトル合成された保持トルクの振幅を最大に設定することが出来る。
【００９１】
また、この保持トルク設定手段１０と第２の保持トルク設定手段２２の設定角度を異なる方向としても良い。この様に構成することで、ベクトル合成された保持トルクの振幅、位相を任意により細かく調整して設定することが出来る様になる。この様に構成すれば、上側軸受５と下側軸受６とで保持トルク設定手段１０と第２の保持トルク設定手段２２との設定角度を９０度に近くする程、合成された保持トルクの振幅をゼロに近づけることが出来るため、非常に小さな振幅の保持トルクを設定することが出来る。
【００９２】
この様にステップモータを構成することで、小型化の設計上、仕方なくロータ磁石１６の径を小さくし、ロータ磁石１６から発生する磁力が弱くなってしまったとしても、十分な大きさの保持トルクを設定することが出来る様になる。また、磁石材料開発が現在以上に進み、ロータ磁石１６で発生する磁力が更に強くなったとしても、上述したようにベクトル合成を考慮することにより、任意の保持トルクの値に設定することが出来る。
【実施例３】
【００９３】
次に、本発明のステップモータの他の構成例について説明する。
図１２は、本実施形態におけるステップモータの他の構成例を説明するための断面図であり、図２（ｂ）におけるＡ−Ａ断面に変わるロータ４とコイル２部分の断面図を示している。
【００９４】
本実施例で示す構成の特徴とする点は、実施例１に示した保持トルク設定手段が形成された下側軸受６を、材質の異なる中心部２３と外周部２４とを組み合わせて構成した点にある。なお、図１１では、実施例２に示した上側軸受５に保持トルク設定手段を設け、下側軸受６に第２の保持トルク設定手段を設けるとともに、下側軸受６と同様に、上側軸受５にも中心部２５と外周部２６とを設けた構成例を示しているが、上側軸受５と下側軸受６の一方に保持トルク設定手段を設けても構わない。他の構成は、実施例１または２と同じであるので、ここでの詳細な説明は割愛する。
【００９５】
図１２に示す様に、本実施例におけるステップモータの上側軸受５と下側軸受６における中心部２３、２５は、セラミックスなどの非磁性材で形成し、ロータ軸１７を回転可能に支持する。また、この中心部２３、２５の外周を囲むように配置する外周部２４、２６は、純鉄や珪素鋼板などの軟磁性材で形成してなる。さらに、本図面では明示していないが、この外周部２４、２６のみに、保持トルク設定手段が形成されている。
【００９６】
この様に構成することで、ロータ軸１７が摺動する中心部２３、２５には、摺動摩擦が小さく、耐磨耗性の大きく、かつ磁性材より加工が容易な材料を選択することが出来る。そのため、本実施例におけるステップモータによれば、先の実施例に比べて更に低消費電力化が達成出来、また耐摩耗性の高いステップモータを実現することが出来る。
【実施例４】
【００９７】
次に、本発明のステップモータの他の構成例について説明する。
図１３は、本実施形態におけるステップモータの他の構成例を説明するための上面図を示している。図１４は、図１３からロータ４を取り去った状態の上面図を示しており、図１５は、上側軸受５と保持トルク設定手段１０を設けた下側軸受６の斜視図を示している。
【００９８】
本実施例で示す構成の特徴とする点は、実施例１に示したステータ連結部９（図１参照）を、励磁したコイル２から発生する磁界を磁気的に分離するための磁束飽和部２７として作用するステータ狭窄部とした点にある。なお、他の構成は同じであるので、ここでの詳細な説明は割愛する。
【００９９】
実施例１（図１参照）のように、ステータ３を二片に分割し、この分割した間隙に非磁性体を挟持する様に配するステータ連結部９を有するステップモータ１は、ステータ連結部９による保持トルクが、ロータ磁石１６の径方向側面部から発生した大きな量の主磁束により発生する形態となっている。そのため、この保持トルクには、ロータ磁石１６の加工精度による影響を大きく含む構成といわざるを得ない。この様に、実施例１に示したステップモータ１は、従来のステップモータ（図１６参照）の様に、ステータ連結部９とロ
ータ孔１５内周部に設けた保持トルク設定手段１０００の両方の加工精度の影響が、重なり合ってさらに大きく出てしまうことはないが、それでもステータ連結部９の加工精度による影響は大きく残ってしまうという問題を抱えていた。
【０１００】
それに対して、図１３、図１４に示す様に、このステップモータにおけるステータ３に、磁束飽和部２７としてステータ狭窄部を有する構成とすることにより、ロータ磁石１６から発生する磁束により磁束飽和することはなく、材料特性が非線形な領域になることもない。更に、本構成によれば、磁束飽和部２７であるステータ狭窄部による保持トルクは発生しない。
【０１０１】
この様に構成することで、保持トルクをロータ磁石１６の軸方向に配置されている下側軸受６に設けた保持トルク設定手段のみにより設定することが出来る。つまり、本構成によれば、先に示した実施例での構成のように、ベクトル合成により保持トルクを設定する必要がないために、先の実施例での構成に比べて更に振幅と位相とを設定し易くすることが出来る。
【図面の簡単な説明】
【０１０２】
【図１】本発明のステップモータの構成を示す上面図である。（実施例１）
【図２】本発明のステップモータの構成を示す断面図である。（実施例１）
【図３】本発明のステップモータの構成でロータを取り去った状態を示す上面図である。（実施例１）
【図４】本発明のステップモータの構成でロータを取り去った状態を示す斜視図である。（実施例１）
【図５】本発明に係るロータ磁石の各面からの発生磁束量を説明するための図である。（実施例１）
【図６】本発明のステップモータの作用を説明する上面図である。（実施例１）
【図７】本発明のステップモータの作用を説明する上面図である。（実施例１）
【図８】本発明のステップモータの作用を説明する上面図である。（実施例１）
【図９】本発明に係るロータ磁石とステータと下側軸受の配設位置の関係を説明するための断面図である。（実施例１）
【図１０】本発明に係るロータ磁石とステータと下側軸受の配設位置の関係の変形例を説明するための断面図である。（実施例１）
【図１１】本発明のステップモータの他の構成を示す断面図と斜視図である。（実施例２）
【図１２】本発明のステップモータの他の構成を示す断面図である。（実施例３）
【図１３】本発明のステップモータの他の構成を示す上面図である。（実施例４）
【図１４】本発明のステップモータの他の構成でロータを取り去った状態を示す上面図である。（実施例４）
【図１５】本発明のステップモータの他の構成でロータを取り去った状態を示す斜視図である。（実施例４）
【図１６】従来のステップモータの構成を示す上面図である。
【図１７】従来のステップモータの構成を示す断面図である。
【図１８】従来のステップモータの作用を説明する上面図である。
【図１９】従来のステップモータの作用を説明する上面図である。
【図２０】従来のステップモータの作用を説明する上面図である。
【符号の説明】
【０１０３】
１  ステップモータ
２  コイル
３  ステータ
４  ロータ
５  上側軸受
６  下側軸受
７  地板
８  輪列受板
９  ステータ連結部
１０  保持トルク設定手段
１１  座
１２  磁芯
１３  導線
１４  ネジ
１５  ロータ孔
１６  ロータ磁石
１７  ロータ軸
１８  閉磁路
１９  閉磁路
２０  閉磁路
２１  閉磁路
２２  第２の保持トルク設定手段
２３  中心部
２４  外周部
２５  中心部
２６  外周部
２７  磁束飽和部
２８  閉磁路
２９  閉磁路
【図１】
2008151644.tif 000003
【図２】
2008151644.tif 000004
【図３】
2008151644.tif 000005
【図４】
2008151644.tif 000006
【図５】
2008151644.tif 000007
【図６】
2008151644.tif 000008
【図７】
2008151644.tif 000009
【図８】
2008151644.tif 000010
【図９】
2008151644.tif 000011
【図１０】
2008151644.tif 000012
【図１１】
2008151644.tif 000013
【図１２】
2008151644.tif 000014
【図１３】
2008151644.tif 000015
【図１４】
2008151644.tif 000016
【図１５】
2008151644.tif 000017
【図１６】
2008151644.tif 000018
【図１７】
2008151644.tif 000019
【図１８】
2008151644.tif 000020
【図１９】
2008151644.tif 000021
【図２０】
2008151644.tif 000022